(57)【要約】【課題】  髪型や服装、外出目的やその時の気分に合わせて立体的な装飾物を含む色々な装飾物を選択でき、且つ、施された装飾物を直に鑑賞できるイヤリングを提供する。【解決手段】  本発明のイヤリング１は、表面２ａに装飾物７が施された装飾プレート２と、装飾プレート２を載置する基台３と、装飾プレート２の装飾物７が見えるように中央部分４ａが開口した、装飾プレート２を基台３に押え付ける枠体４と、枠体４又は基台３に設けた耳止具６と、を備えたものである。【選択図】      図１
2006055364.tif 000002
【特許請求の範囲】
【請求項１】
表面に装飾物が施された装飾プレートと、該装飾プレートを載置する基台と、前記装飾プレートの装飾物が見えるように中央部分が開口した、前記装飾プレートを前記基台に押え付ける枠体と、該枠体又は前記基台に設けた耳止具と、を備えたことを特徴とするイヤリング。
【請求項２】
前記耳止具は、一端側が前記枠体に固定され他端側が前記基台の裏面に向って付勢されたものであることを特徴とする請求項１記載のイヤリング。
【発明の詳細な説明】
【技術分野】
【０００１】
本発明は、装飾物の交換が可能なイヤリングに関する。
【背景技術】
【０００２】
耳もとを飾る装身具としてイヤリングやピアスがあるが、イヤリングやピアスを身に着ける人は、髪型や服装、外出の用件やその日の気分に合わせてイヤリングやピアスを着け替えることが多く、大半の人が複数のイヤリングやピアスを所有している。しかし、イヤリングやピアスには高価なものが多く、それらを複数所有するには経済的な負担が大きい。また、イヤリングやピアスを装着する人の多くは、市販されているものをそのまま身につけているが、人とは異なる個性を表現した、絵画や模様、写真等の平面的なものや、花や宝石、彫刻等の立体的なものを含むオリジナリティに溢れる装飾物を施したものを身につけたいという欲求を持つ人も多数いる。
【０００３】
このような事情から、イヤリングの装飾物を交換でき、且つ、独自の装飾物を施すことができるイヤリングが所望されている。このようなイヤリングとして、装飾物として任意の写真を飾ることができ、その写真を交換可能としたものがある（特許文献１参照）。このイヤリングは、２つの透明な部材の間に写真を入れるとともに、それらの２つの透明な部材を丁番やねじ等により留めてイヤリングの装飾物としたものである。
【特許文献１】特開平８−１３１２２２号公報
【発明の開示】
【発明が解決しようとする課題】
【０００４】
しかしながら、上記したイヤリングでは、以下のような問題点があった。すなわち、写真を２つの透明な部材により挟み込むため、中にある写真は、透明な部材に覆われた状態となる。そのため、装飾物として飾られた写真を透明な部材ごしにしか見ることができず、写真を直に見たときの色彩や光沢が失われるという問題がある。また、この従来技術では、花や宝石等の立体的なものを装飾物としてイヤリングに施すことはできないという問題点がある。
【０００５】
本発明は、上記の課題に鑑みてなされたものであり、髪型や服装、外出目的やその時の気分に合わせて立体的な装飾物を含む色々な装飾物を選択でき、且つ、施された装飾物を直に鑑賞できるイヤリングを提供することを目的とする。
【課題を解決するための手段】
【０００６】
上記目的を達成するために、請求項１記載のイヤリングは、表面に装飾物が施された装飾プレートと、該装飾プレートを載置する基台と、前記装飾プレートの装飾物が見えるように中央部分が開口した、前記装飾プレートを前記基台に押え付ける枠体と、該枠体又は前記基台に設けた耳止具と、を備えたことを特徴としている。
【０００７】
請求項２記載のイヤリングは、請求項１記載のイヤリングにおいて、前記耳止具は、一端側が前記枠体に固定され他端側が前記基台の裏面に向って付勢されたものであることを特徴としている。
【発明の効果】
【０００８】
本発明の請求項１のイヤリングによれば、表面に装飾物が施された装飾プレートと、該装飾プレートを載置する基台と、前記装飾プレートの装飾物が見えるように中央部分が開口した、前記装飾プレートを前記基台に押え付ける枠体と、該枠体又は前記基台に設けた耳止具と、を備えたため、装飾プレートを交換したり、装飾プレートに施された装飾物を除却して新たに装飾物を施し直すことにより１つのイヤリングでさまざまなお洒落を楽しむことができる。また、枠体の中央部分が開口しているので、装飾プレートに施される装飾物は花や宝石等の立体的な装飾物でも可能である。また、開口しているために施された装飾物の持つ色彩や光沢を直に鑑賞できる。
【０００９】
請求項２記載のイヤリングによれば、請求項１記載のイヤリングの効果に加えて、耳止具は、一端側が前記枠体に固定され他端側が前記基台の裏面に向って付勢されたものであるため、イヤリングの装着時に基台が耳たぶを介して枠体と耳止具により挟まれた状態となり、基台に載置された装飾プレートが容易に外れ難いという利点がある。
【発明を実施するための最良の形態】
【００１０】
以下、本発明の実施の形態に係るイヤリングについて図面に基づいて説明する。
図１は、本実施形態に係るイヤリング１の概略構成を示すものであるが、イヤリング１は、図示するように、装飾プレート２、基台３、枠体４、丁番５、及び耳止具６を主体に構成される。
【００１１】
装飾プレート２は、略正方形の軽量の板材であって、平面又は立体を問わず、さまざまな装飾物７を表面２ａに施すことができるものである。この装飾プレート２の表面２ａにのり等の接着剤で、例えばかすみ草、ミニローズ、やぐるま草等の花を貼付したり、宝石やビーズ等を貼付したりして装飾物７を施したものを複数枚用意しておけば、髪型や服装、外出目的やその時の気分に合わせて装飾プレート２を交換してお洒落を楽しむことができる。また、装飾プレート２に施された装飾物７を除却して新たに装飾物７を施し直すこともできる。
【００１２】
基台３は、図１に示すように、表面３ａに装飾プレート２を嵌め込むための凹状部３ｂが形成された板材であり、装飾プレート２を載置するためのものである。この基台３の素材としては、軽量で、且つ、直接耳たぶＥに触れるので肌に刺激の少ないアクリルやシリコン樹脂等の素材が好ましい。なお、耳たぶＥに沿うように裏面３ｃが湾曲していてもよい。
【００１３】
枠体４は、図２に示すように、装飾プレート２の装飾物７が見えるように、円盤の中央部分４ａが円形に開口したドーナツ状の形体をした部材であり、前記装飾プレート２の表面２ａの周囲を前記基台３に押え付けるためのものである。この枠体４のサイズは、イヤリング１を耳たぶＥに装着した際に美しく見えるような適度なサイズで、且つ、前方から装飾プレート２の周囲及び基台３が見えないように、枠体４の外縁４ｂは基台３よりも大きく、内縁４ｃは装飾プレート２よりも小さいサイズとしている。素材としては、金、銀、プラチナ等であったり、母材の表面にメッキを施したものであったりさまざまなものを用いることができるが、敏感肌の人にも金属アレルギー等のかぶれを生じさせない素材とするのが望ましい。なお、この枠体４にも装飾が施されていてもよく、例えば、ダイヤ等の宝石が埋め込まれていたり、彫金等の装飾が施される等の立体的なものでも、絵画等の平面的なものでもよい。
【００１４】
丁番５は、図１及び図３に示すように、基台３と枠体４を開閉自在に結合する結合具であり、基台３の側面３ｄと枠体４の裏面４ｄの外縁４ｂ付近にろう付け等で固定されている。この丁番５は、図３に示すように、装飾プレート２を基台３の凹状部３ｂに嵌め込んで載置し、基台３と枠体４を閉じた際に、枠体４の裏面４ｄの外縁４ｂと内縁４ｃの間の部分により装飾プレート２の表面２ａの周囲を基台３に押え付けるものである。また、基台３の周囲が枠体４側から見えなくなるように設けられる。このため、図２に示すように、イヤリング１を耳たぶＥに装着した際に、イヤリング１の前方からは装飾プレート２の周囲及び基台３が見えないシンプルで美しい外観とすることができる。
【００１５】
耳止具６は、図３に示すように、枠体４に設けられてイヤリング１を耳たぶＥに挟止するようにバネ筒６ａによって耳たぶＥの裏側方向に付勢されたものである。このバネ筒６ａは、耳止具６の一端側に設けられて、枠体４の裏面４ｄの丁番５が固定された側と反対側の外縁４ｂ付近にろう付け等で固定されている。耳止具６は、耳たぶＥの裏側に沿うように湾曲した形状の板材であり、直接耳たぶＥに触れる部分であるので、肌に刺激の少ない素材を選択して使用する。
【００１６】
以下、イヤリング１の装着手順について説明する。まず、装飾物７が表面２ａに施された装飾プレート２を基台３の凹状部３ｂに嵌め込んで載置する。次いで、丁番５により結合された基台３と枠体４を閉じて枠体４の裏面４ｄを基台３の表面３ａに合わせる。この状態において、装飾プレート２の周囲は、枠体４の裏面４ｄによって基台３に押え付けられている。そして、図３に示すように、枠体４の裏面４ｄを基台３の表面３ａに合わせた状態で基台３の裏面３ｃと耳止具６により耳たぶＥを挟んでイヤリング１を耳たぶＥに挟止することによって装着する。このイヤリング１の装着時において、基台３は、耳たぶＥを介して枠体４と耳止具６により挟まれた状態となっており、装飾プレート２が凹状部３ｂから容易に外れ難くなっている。
【００１７】
以上の説明からも明らかなように、本実施の形態に係るイヤリング１によれば、髪型や服装、外出目的やその時の気分に合わせて装飾プレート２を交換したり、装飾プレート２に施された装飾物７を除却して新たに装飾物７を施し直すことにより１つのイヤリング１でさまざまなお洒落を楽しむことができる。また、装飾プレート２に施される装飾物７は、花や宝石等の立体的な装飾物７であってもよい。更に、施された装飾物７の持つ色彩や光沢を直に鑑賞できる。
【００１８】
なお、本発明は上記実施形態に限定されるものではなく、本発明の要旨の範囲内で種々の変形実施が可能である。例えば、枠体４は、円形のドーナツ状の形体をなすものを用いて説明したが、これに限定されず、四角形等の多角形や、図４に示すように、楕円形であってもよく、また、図５に示すように、ハート型等の形体をしていてもよい。また、装飾プレート２の形体も略正方形に限定されず、円形や多角形等その他の形体としてもよく、また、枠体４の形体に合わせた形体とした場合、図４に示すように、枠体４の外縁４ｂと内縁４ｃの幅を狭くできて、イヤリング１全体に対して装飾物７を施すことが可能な範囲を広くでき、より好ましい。
【００１９】
また、基台３と枠体４を結合する結合具として丁番５を用いているが、図６に示すように、基台３の丁番５が固定された側と反対側の表面３ａに係止用突起３ｅを、枠体４の裏面４ｄに前記係止用突起３ｅに対応する係止用溝４ｅをそれぞれ形成し、基台３と枠体４を閉じて基台３の表面３ａと枠体４の裏面４ｄとが合わさる際に係止用突起３ｅと係止用溝４ｅが嵌合するようにして、係止用突起３ｅと係止用溝４ｅにより丁番５が容易に開かないようにしてもよい。これによって、イヤリング１を装着していないときであっても不意に枠体４が開いて装飾プレート２が基台３の凹状部３ｂから外れることを防ぐことができる。
【００２０】
また、結合具として丁番５を用いずに、図７に示すように、基台３の表面３ａに磁石からなる凸部３ｆを、また、枠体４の裏面４ｄに前記凸部３ｆに対応して磁石に吸着する素材からなる凹部４ｆをそれぞれ設け、凸部３ｆと凹部４ｆを嵌合させて凸部３ｆの磁力によって基台３と枠体４を結合させてもよい。この場合、基台３と枠体４を結合する結合具である凸部３ｆ及び凹部４ｆがイヤリング１の外面に表れず、美しい納まりとなり、好ましい。
【００２１】
また、耳止具６は、枠体４に固定されたバネ筒６ａにより付勢されて基台３とにより耳たぶＥを挟むことによってイヤリング１を耳たぶＥに挟止する、所謂クリップ式のものを説明したが、耳止具６は、基台３に固定されていてもよく、また、イヤリング１を耳たぶＥに挟止する機能を奏する構造のものであれば、例えば、バネ筒６ａを備えず、耳止具６の一端を枠体４に固定して、耳止具６の他端側に所謂ネジ式の締着部材を備えたものであって、該締着部材が基台３方向に螺挿されて該締着部材と基台３の裏面３ｃにより耳たぶＥを挟むことによってイヤリング１を耳たぶＥに挟止するものとしてもよい。また、イヤリング１は、図８に示すように、耳止具６のみで耳たぶＥに挟止するようにし、該耳止具６を基台３又は枠体４に鎖８等で繋ぐように設けて、耳たぶＥの下方に装飾プレート２、基台３、枠体４等が吊られるものとしてもよい。
【産業上の利用可能性】
【００２２】
本発明は、１つのイヤリングでさまざまなお洒落を楽しむことができるイヤリングとして利用することができる。
【図面の簡単な説明】
【００２３】
【図１】本発明の実施の形態に係るイヤリングの概略構成を示す斜視図である。
【図２】本発明の実施の形態に係るイヤリングの装着状態を示す断面図である。
【図３】本発明の実施の形態に係るイヤリングの装着状態を示す正面図である。
【図４】枠体の別の実施例を示す正面図である。
【図５】枠体の別の実施例を示す正面図である。
【図６】結合具の別の実施例を示す斜視図である。
【図７】結合具の別の実施例を示す斜視図である。
【図８】イヤリングの別の実施例を示す正面図である。
【符号の説明】
【００２４】
１    イヤリング
２    装飾プレート
２ａ    表面
３    基台
３ｃ    裏面
４    枠体
４ａ    中央部分
６    耳止具
７    装飾物
【図１】
2006055364.tif 000003
【図２】
2006055364.tif 000004
【図３】
2006055364.tif 000005
【図４】
2006055364.tif 000006
【図５】
2006055364.tif 000007
【図６】
2006055364.tif 000008
【図７】
2006055364.tif 000009
【図８】
2006055364.tif 000010